(57)【要約】【目的】既設の下段足場板上での搬送が容易で、取付作業が短時間で簡単に行える安全手摺を提供する。【解決手段】上下方向に継ぎ足してなる支柱２を複数並立させると共に、隣り合う支柱２，２間に足場板３を上下複数段に架け渡して組み立てられる足場４の組立にあたり、支柱２に設けられた差込部５を利用して、既設の下段側足場板３から、新設する上段側足場板３の先行仮設手摺として取り付ける安全手摺であって、足場板３の長手方向に隣り合う支柱２，２に沿うように取り付けられる両側一対の竪杆６，７と、両端部が両竪杆６，７の上端部に枢着された水平杆８と、からなり、各竪杆６，７の下端部側には上方部位に固定金具１０を、その下方部位に支持金具１１を夫々設けている。【選択図】        図４
2005068651.tif 000002
【特許請求の範囲】
【請求項１】
上下方向に継ぎ足してなる支柱を複数並立させると共に、隣り合う支柱間に足場板を上下複数段に架け渡して組み立てられる足場の組立にあたり、支柱に設けられた差込部を利用して、既設の下段側足場板から、新設する上段側足場板の先行仮設手摺として取り付ける安全手摺であって、
隣り合う支柱に沿うように取り付けられる両側一対の竪杆と、両端部が両竪杆の上端部に枢着された水平杆と、からなり、
各竪杆の下端部側には上方部位に固定金具を、その下方部位に支持金具を夫々設け、固定金具は、支柱の差込部に掛止可能なコ字状枠片と、差込部に掛止させたコ字状枠片の上方からコ字状枠片及び差込部を貫通して打ち込まれる楔片と、からなり、支持金具は、支柱の外周面に係合可能な係合部材を有することを特徴とする安全手摺。
【請求項２】
両竪杆の上端部は対向方向に突出するように夫々略Ｌ字状に屈曲形成されていて、それらの上端突出部に水平杆の両端部が枢着されていることを特徴とする請求項１に記載の安全手摺。
【請求項３】
一方の竪杆が水平杆に沿って折り畳まれ、この折り畳まれた竪杆に沿って他方の竪杆が折り畳まれるように、一方の竪杆の上端突出部はその突出長さが短く、他方の竪杆の上端突出部は一方の竪杆の上端突出部よりも突出長さが長く形成されていることを特徴とする請求項２に記載の安全手摺。
【発明の詳細な説明】
【０００１】
【発明の属する技術分野】
本発明は、建設作業現場において、上下方向に継ぎ足してなる支柱を複数並立させると共に、足場板長手方向に隣り合う支柱間に足場板を上下複数段に架け渡して組み立てられる単管足場の組立にあたり、支柱に設けられた孔付きフランジ等の差込部を利用して、既設の下段側足場板から、新設する上段側足場板の先行仮設手摺りとして取り付ける安全手摺に関するものである。
【０００２】
【従来の技術】
従来の安全手摺は、公知文献を具体的に上げることは出来ないが、両側一対の竪杆と上下の横杆とで形成される周枠に複数の中桟を配設して矩形枠体状に構成したもので、この矩形枠体状手摺を、既設の下段側足場板から、新設する上段側足場板に持ち上げることによって、隣り合う両支柱に取り付けるようになっている。
【０００３】
【発明が解決しようとする課題】
上記のような安全手摺では、矩形枠体状であるため作業員が持ち難く、既設の下段足場板上での搬送が面倒であり、また矩形枠体状であるため既設の下段足場板上で作業員が万歳をするような恰好で安全手摺を持ち上げて、新設する上段側足場板での取付作業を行わねばならず、従って安全手摺の取付作業が非常に面倒で、非常な時間と手間がかかっていた。
【０００４】
本発明は、既設の下段足場板上での搬送が容易で、取付作業が短時間で簡単に行える安全手摺を提供することを目的とする。
【０００５】
【課題を解決するための手段】
請求項１に係る発明の安全手摺１は、上下方向に継ぎ足してなる支柱２を複数並立させると共に、隣り合う支柱２，２間に足場板３を上下複数段に架け渡して組み立てられる足場４の組立にあたり、支柱２に設けられた差込部５を利用して、既設の下段側足場板３から、新設する上段側足場板３の先行仮設手摺として取り付ける安全手摺であって、隣り合う支柱２，２に沿うように取り付けられる両側一対の竪杆６，７と、両端部が両竪杆６，７の上端部に枢着された水平杆８と、からなり、各竪杆６，７の下端部側には上方部位に固定金具１０を、その下方部位に支持金具１１を夫々設け、固定金具１０は、支柱２の差込部５に掛止可能なコ字状枠片１２と、差込部５に掛止させたコ字状枠片１２の上方からコ字状枠片１２及びことを特徴とするを貫通して打ち込まれる楔１３と、からなり、支持金具１１は、支柱２の外周面に係合可能な係合部材１１ｂを有することを特徴とする。
【０００６】
請求項２は、請求項１に記載の安全手摺において、両竪杆６，７の上端部は対向方向に突出するように夫々略Ｌ字状に屈曲形成されていて、それらの上端突出部６ａ，７ａに水平杆８の両端部が枢着されていることを特徴とする。
【０００７】
請求項３は、請求項２に記載の安全手摺において、一方の竪杆６が水平杆８に沿って折り畳まれ、この折り畳まれた竪杆６に沿って他方の竪杆７が折り畳まれるように、一方の竪杆６の上端突出部６ａはその突出長さが短く、他方の竪杆７の上端突出部７ａは一方の竪杆６の上端突出部６ａよりも突出長さが長く形成されていることを特徴とする。
【０００８】
【発明の実施の形態】
本発明の好適な実施形態について図面を参照しながら説明すると、図１の（ａ）は本発明に係る安全手摺１を示す使用状態での正面図であり、（ｂ）  は折り畳み状態での安全手摺１の正面図である。図２の（ａ）  は図１の（ａ）  における矢印イで示す部分の拡大図、（ｂ）  は（ａ）  のロ−ロ線断面図、（ｃ）  は（ａ）  のハ−ハ線断面図である。図３〜図５は安全手摺１の取付方法を説明する説明図である。図６は図３の矢印ニで示す部分の拡大図、図７の（ａ）  は図６のホ−ホ線断面図、（ｂ）  は図６のヘ−ヘ線断面図である。
【０００９】
この安全手摺１は、図３〜図５に示すように、上下方向に継ぎ足してなる支柱２を複数並立させると共に、足場板長手方向に隣り合う支柱２，２間に足場板３を上下複数段に架け渡して組み立てられる単管足場４の組立にあたり、支柱２に設けられた差込部５を利用して、実線で示す既設の下段側足場板３から、仮想線図示の新設する上段側足場板３の先行仮設手摺として取り付けるようにしたもので、足場板３の長手方向に隣り合う支柱２，２に添うように配置される両側一対の竪杆６，７と、両端部が両竪杆６，７の上端部に枢着された水平杆８と、からなる。尚、図３〜図５において、２０及び２１は下段側足場板３用の本設の手摺材である中桟及び上桟を示す。
【００１０】
両竪杆６，７の上端部は対向方向に突出するように夫々略Ｌ字状に屈曲形成されていて、これら竪杆６，７の上端突出部６ａ，７ａに水平杆８の両端部が夫々枢軸９によって枢着されている。しかして、これら竪杆６，７の上端突出部６ａ，７ａは、図１の（ｂ）  に示すように、一方の竪杆６が水平杆８に沿って平行に折り畳まれ、この折り畳まれた竪杆６に沿って他方の竪杆７が平行に折り畳まれるように、一方の竪杆６の上端突出部６ａはその突出長さが短く形成され、他方の竪杆７の上端突出部７ａは一方の竪杆６の上端突出部６ａの突出長さよりも長い所要長さに形成されている。
【００１１】
各竪杆６，７の下端部側にはその上方部位に固定金具１０が、その下方部位（竪杆６，７の下端部）に支持金具１１が夫々設けられている。固定金具１０は、支柱２の差込部５に掛止可能なコ字状枠片１２と、差込部５に掛止させたコ字状枠片１２の上方から当該コ字状枠片１２及び差込部５を上下方向に貫通して打ち込まれる楔１３とから構成される。
【００１２】
差込部５は、各支柱２に長手方向所要間隔おきに固着されたフランジ部材からなるもので、各フランジ部材５には、図７に示すように、差込孔５ａが９０度の間隔で４つ開口形成されている。また、足場板３の両端部は、図５の（ｂ）  に示すように、単管足場４の横方向（足場板３の幅方向）に隣り合う支柱２，２のフランジ部材５，５に連結された横ステー１８，１８に掛止用フック１９によって掛止される。
【００１３】
上記安全手摺１の構造について更に詳しく説明すると、固定金具１０のコ字状枠片１２は、図２の（ａ）  及び（ｂ）  から分かるように、上部片１２ａと下部片１２ｂと上部両部片１２ａ，１２ｂをつなぐつなぎ片１２ｃとからなるもので、つなぎ片１２ｃが例えば円弧状の取付部片１４を介して各支柱２に取り付け固定されており、そして上部片１２ａに上孔１５が形成され、下部片１２ｂに下孔１６が形成されている。
【００１４】
しかして、支柱２の差込部であるフランジ部材５への取り付けにあたっては、図６に示すように、コ字状枠片１２の上部片１２ａを支柱２のフランジ部材５上に掛止させた状態で、楔１３を上部片１２ａの上孔１５からフランジ部材５の差込孔５ａに差し込み更に下部片１２ｂの下孔１６に挿入することにより、楔１３の楔効果によってコ字状枠片１２をフランジ部材５に固定し、それにより各竪杆６，７を支柱２に固定することができる。
【００１５】
各竪杆６，７の下端部に設けられた支持金具１１は、図６及び図７の（ｂ）  から分かるように、竪杆６，７に突設された取付片１１ａと、この取付片１１ａの先端部に取り付けられて、支柱２の外周面に係合する凹面状係合片１１ｂ（係合部材）とから構成される。
【００１６】
次に、上記のような構成よりなる安全手摺１の使用方法について、図３〜図５に沿って説明すると、これらの図において、実線で示される足場板３は単管足場４における既設の下段側足場板であり、仮想線で示される足場板３は新設の上段足場板であって、安全手摺１は、既設の下段側足場板３から、新設する上段足場板３の先行仮設手摺として支柱２，２に取り付けるものである。
【００１７】
この安全手摺１は、取付前は図１の（ｂ）  に示すように、一方の竪杆６を水平杆８に沿って折り畳み、この折り畳んだ竪杆６に沿って他方の竪杆７を折り畳むことにより、図示のような略々１本の棒状の折畳収納状態としておく。しかして、この折畳収納状態にある安全手摺１を、作業員Ｍが、先ず図３に示すように、既設の下段側足場板３上において足場板３の長手方向に隣り合う支柱２，２の一方の支柱２側に立って、一方の竪杆６を水平杆８と同じ直線状に伸ばしたまま、一方の手で水平杆８を持ち、他方の手でもう一方の竪杆７（Ｌ字状に屈曲した上端突出端部７ａの突出長さが長い方の竪杆）を持って、この竪杆７を、一方の支柱２に対し、支持金具１１により支持させると共に固定金具１０によって固定させる。
【００１８】
こうして安全手摺１の一方の竪杆７を、支持金具１１及び固定金具１０によって支持固定させたならば、作業員Ｍは、図４に示すように、もう一方の竪杆６を持って、隣り合う支柱２，２の他方の支柱２側に移動し、そこで水平杆８が水平状態となるように竪杆６を持ち上げ、しかしてこの竪杆６を、他方の支柱２に対し、上述した竪杆７の場合と同様に、支持金具１１により支持させると共に固定金具１０により固定させて、図５に示すような状態とし、これによって、隣り合う両支柱２，２間に、新設する上段側足場板３の先行仮設手摺としての安全手摺１の仮設が完了する。
【００１９】
上記安全手摺１の取付けにおいて、各竪杆６，７を支持金具１１によって支持させるには、図６及び図７の（ｂ）  に示すように、取付片１１ａの先端部に取り付けられた凹面状係合片１１ｂ（係合部材）を支柱２外周部に係合させればよく、また固定金具１０によって竪杆６，７を支柱２に固定させるには、図６及びず７の（ｂ）  に示すように、コ字状枠片１２の上部片１２ａを支柱２のフランジ部材５上に掛止させた状態で、楔１３を上部片１２ａの上孔１５からフランジ部材５の差込孔５ａに差し込み、更に下部片１２ｂの下孔１６に挿入すればよい。
【００２０】
こうして安全手摺１を仮設した後、図３〜図５に仮想線で示すように上段側足場板３を架け渡す。この足場板３は、図５の（ｂ）  に示すように、足場板３の幅方向に隣り合う支柱２，２のフランジ部材５，５に連結された横ステー１８，１８に掛止用フック１９で掛止させることにより架け渡される。
【００２１】
上段側足場板３の設置後、この上段側足場板３の上方において足場板３の長手方向に隣り合う支柱２，２間に本設の手摺材２１（上桟）を架け渡す。そして、この手摺材２１の架け渡し後に安全手摺１を支柱２，２から取り外し、同じく本設の手摺材２０（中桟）を支柱２，２間に架け渡す。本設の手摺材２１，２０の架け渡しは、各手摺材２１，２０の両端部に設けられた取付金具２２，２２によって行う。各取付金具２２は上述した安全手摺１の固定金具１０と同様な構造のものであり、その取付要領も同様である。尚、図４〜図６には下段側足場板３用の本設の手摺材２１，２０を実線で示す。
【００２２】
以上説明した本発明に係る安全手摺１は、一方の竪杆６を水平杆８に沿って折り畳み、この折り畳んだ竪杆６に沿って他方の竪杆７を折り畳むことによって、図１の（ｂ）  に示すような略々１本の棒状体となるため、持ち運びが容易であると共に、取付作業が容易となる。また、各竪杆６，７の下端部側には上方部位に固定金具１０を、その下方部位に支持金具１１を夫々設けているから、取付作業においては、上述したように、作業員Ｍが、既設の下段側足場板３上において足場板３の長手方向に隣り合う支柱２，２の一方の支柱２側に立って、一方の竪杆７を、当該一方の支柱２に対し、支持金具１１で支持させると共に固定金具１０で固定させた後、もう一方の竪杆６を持って他方の支柱２側に移動し、そこでこの竪杆６を水平杆８が水平姿勢になるように持ち上げて支持金具１１及び固定金具１０で支持固定させればよいから、取付作業を迅速容易に行うことができる。
【００２３】
そして、固定金具１０は、支柱２のフランジ部材５に掛止可能なコ字状枠片１２と、フランジ部材５に掛止させたコ字状枠片１２の上方からコ字状枠片１２及びフランジ部材５を貫通して打ち込まれる楔１３とからなるもので、コ字状枠片１２をフランジ部材５に掛止させて、このコ字状枠片１２の上方から楔１３をコ字状枠片１２の上下孔１２ａ，１２ｂ及びフランジ部材５の差込孔５ａに貫通するように打ち込むことによって、各竪杆６，７を支柱２に簡単に固定できる。また、支持金具１１は支柱２の外周面に係合可能な係合部材１１ｂを有するから、竪杆６，７の下端部を支柱２に対し確実に支持することができる。
【００２４】
また、この安全手摺１では、両竪杆６，７の上端部は対向方向に突出するように夫々略Ｌ字状に屈曲形成されていて、それらの上端突出部６ａ，７ａに水平杆８の両端部が枢着されているから、各竪杆６，７を水平杆８に対し平行に折り畳むことができ、従って支柱２への取付けにあたって、最初に一方の竪杆６又は７を支柱２に沿わせて支持金具１１及び固定金具１０により支持固定させる時に、この一方の竪杆６又は７とこれに枢着された水平杆８とを、図３に示すように一定の間隔をもって平行姿勢にすることができるから、水平杆８を片方の手で垂直姿勢に保持すればよく、従って支持金具１１及び固定金具１０により支持固定作業がし易くなり、作業能率が上がる。
【００２５】
因みに、両竪杆６，７の上端部がＬ字状に屈曲形成されておらず、両竪杆６，７の上端部に直接水平杆８の両端部が枢着されている場合には、上記のように支柱２への取付けにあたって最初に一方の竪杆６又は７を支柱２に沿わせて支持金具１１及び固定金具１０により支持固定させる時に、一方の竪杆６又は７に枢着された水平杆８がどうしても傾斜姿勢になるから、作業者はこの水平杆８を傾斜させたまま片手で保持しながら作業を行わなければならず、従ってその水平杆８を持つ手の負担が大きく、作業がし難くなる。
【００２６】
また、この安全手摺１では、一方の竪杆６が水平杆８に沿って折り畳まれ、この折り畳まれた竪杆６に沿って他方の竪杆７が折り畳まれるように、一方の竪杆６の上端突出部６ａの突出長さが短く、他方の竪杆７の上端突出部７ａの突出長さが長く形成されているから、竪杆６，７に固定金具１０及び支持金具１１が設けてあるにもかかわらず、両竪杆６，７と水平杆８とが互いに平行となった略々１本の棒状体にコンパクトに折り畳むことができ、収納保管に便利となる。
【００２７】
以上説明した実施形態では、支柱２の差込部５を差込孔５ａ付きフランジ部材５からなるものとしているが、この差込部５はフランジ部材５に限るものではなく、例えば平面視コ字形の枠片を支柱２の外周面に周方向所要間隔おきに複数個固着してなるポケット型の差込部でもよい。このポケット型差込部の場合、固定金具１０のコ字状枠片１２は、その上部片１２ａと下部片１２ｂとがポケットの上下両端面に当接するように掛止されることになる。
【００２８】
【発明の効果】
請求項１に係る発明の安全手摺は、足場板長手方向に隣り合う支柱に沿うように取り付けられる両側一対の竪杆と、両端部が両竪杆の上端部に枢着された水平杆とからなるもので、両竪杆を水平杆に対し折り畳むことができるため、持ち運び及び取付作業が容易となる。そして、各竪杆の下端部側には上方部位に固定金具を、その下方部位に支持金具を夫々設けているから、取付作業においては、作業員が、既設の下段側足場板上において足場板の長手方向に隣り合う支柱の一方の支柱側に立って、一方の竪杆を、一方の支柱に対し、支持金具で支持させると共に固定金具で固定させた後、もう一方の竪杆を持って他方の支柱側に移動し、そこでこの竪杆を水平杆が水平姿勢になるように持ち上げて支持金具及び固定金具で支持固定させればよいから、取付作業を迅速容易に行うことができる。
【００２９】
そして、固定金具は、支柱の差込部に掛止可能なコ字状枠片と、その差込部に掛止させたコ字状枠片の上方からコ字状枠片及び差込部を貫通して打ち込まれる楔とからなるもので、コ字状枠片を差込部に掛止させて、このコ字状枠片の上方からコ字状枠片及び楔を貫通するように打ち込むことによって、各竪杆を支柱に簡単に固定することができる。また、支持金具は支柱の外周面に係合可能な係合部材を有するから、竪杆の下端部を支柱に対し確実に支持することができる。
【００３０】
請求項２に係る発明によれば、両竪杆の上端部は対向方向に突出するように夫々略Ｌ字状に屈曲形成されていて、それらの上端突出部に水平杆の両端部が枢着されているから、各竪杆を水平杆に対し平行に折り畳むことができ、従って支柱への取付けにあたって、最初に一方の竪杆を支柱に沿わせて支持金具及び固定金具で支持固定させる時に、この一方の竪杆とこれに枢着された水平杆とを一定の間隔をもって平行姿勢にすることができ、従って水平杆を片方の手で垂直姿勢に保持すればよく、支持金具及び固定金具により支持固定作業がし易くなり、作業能率を上げることができる。
【００３１】
請求項３に係る発明によれば、一方の竪杆が水平杆に沿って折り畳まれ、この折り畳まれた竪杆に沿って他方の竪杆が折り畳まれるように、一方の竪杆の上端突出部の突出長さが短く、他方の竪杆の上端突出部の突出長さが長く形成されているから、竪杆に固定金具及び支持金具が設けてあるにもかかわらず、両竪杆と水平杆とが互いに平行となった略々１本の棒状体にコンパクトに折り畳むことができ、収納保管に便利となる。
【図面の簡単な説明】
【図１】（ａ）  は本発明に係る安全手摺を示す使用状態での正面図であり、  （ｂ）  は折り畳み状態での安全手摺の正面図である。
【図２】（ａ）  は図１の（ａ）  の矢印イで示す部分の拡大図、（ｂ）  は（ａ）  のロ−ロ線断面図、（ｃ）  は（ａ）  のハ−ハ線断面図である。
【図３】安全手摺の取付方法の第１段階を説明する説明図である。
【図４】安全手摺の取付方法の途中の段階を説明する説明図である。
【図５】安全手摺の取付方法の最終段階を説明する説明図で、（ａ）  は正面図、（ｂ）  は平面図である。
【図６】図３の矢印ニで示す部分の拡大図である。
【図７】（ａ）  は図６のホ−ホ線断面図、（ｂ）  は図６のヘ−ヘ線断面図である。
【符号の説明】
１          安全手摺
２          支柱
３          足場板
４          足場
５          フランジ部材（差込部）
５ａ        フランジ部材の差込孔
６，７      竪杆
６ａ，７ａ  Ｌ字状に屈曲した竪杆の上端突出部
８          水平杆
９          枢軸
１０        固定金具
１１        支持金具
１２        コ字状枠片
１３        楔
【図１】
2005068651.tif 000003
【図２】
2005068651.tif 000004
【図３】
2005068651.tif 000005
【図４】
2005068651.tif 000006
【図５】
2005068651.tif 000007
【図６】
2005068651.tif 000008
【図７】
2005068651.tif 000009